(57)【要約】【課題】切換接点の下方接点部と上方接点部との境界高さ位置のバラツキを抑えることができるスイッチ装置の提供。【解決手段】ケース１に収納され回動可能な操作レバー２と、可動接点を形成し、巻回部３ａ、第１腕部３ｂ、及び第２腕部３ｃを有するねじりコイルばね３ｃと、このねじりコイルばね３の第１腕部３ｂに常時接触する固定接点５ａと、ねじりコイルばね３の第２腕部３ｃを挟圧保持可能な下方接点部及び上方接点部を有し、操作レバー２の回動に伴う第２腕部３ｃの撓み変形により、第２腕部３ｃが離脱する切換接点６ａとを備え、この切換接点６ａの下方接点部が両持ち支持形状の突起部６ａ１から成り、上方接点部６ａ２が片持ち支持形状から成る構成にしてある。【選択図】図３
2007305483.tif 000002
【特許請求の範囲】
【請求項１】
ケースと、このケースに収納され回動可能な操作レバーと、
可動接点を形成し、巻回部と、この巻回部の一端から引き出される第１腕部と、上記巻回部の他端から引き出され、上記操作レバーの回動に伴って撓み変形する第２腕部とを有するねじりコイルばねと、
このねじりコイルばねの上記第１腕部に常時接触する固定接点と、上記ねじりコイルばねの上記第２腕部を挟圧保持可能な下方接点部と上方接点部とを有し、上記操作レバーの回動に伴う上記第２腕部の撓み変形により、上記第２腕部が接離する切換接点とを備え、
この切換接点の上記下方接点部が両持ち支持形状の突起部から成り、上記上方接点部が片持ち支持形状から成ることを特徴とするスイッチ装置。
【請求項２】
上記請求項１記載の発明において、
上記突起部が、切り曲げ加工により形成して成ることを特徴とするスイッチ装置。
【請求項３】
上記請求項１記載の発明において、
上記突起部が、突き出し加工により形成して成ることを特徴とするスイッチ装置。
【請求項４】
上記請求項１記載の発明において、
上記固定接点が、突き出し加工により形成して成ることを特徴とするスイッチ装置。
【請求項５】
上記請求項１記載の発明において、
上記固定接点が、切り曲げ加工により形成して成ることを特徴とするスイッチ装置。
【請求項６】
上記請求項１記載の発明において、
上記切換接点の上記上方接点部の端部に、上記コイルばねの上記第２腕部の挿入を案内するガイド部を設けたことを特徴とするスイッチ装置。
【請求項７】
上記請求項１〜６のいずれか１項記載の発明において、
上記固定接点が導通する外部端子と、上記切換接点が導通する外部端子とを備えるとともに、上記固定接点、及び上記切換接点のそれぞれが銅チタンから成ることを特徴とするスイッチ装置。
【発明の詳細な説明】
【技術分野】
【０００１】
本発明は、ねじりコイルばねから成る可動接点を有し、操作レバーの回動に伴ってねじりコイルばねを撓み変形させることにより、ＯＮ／ＯＦＦの切り換えを行なうことができるスイッチ装置に関する。
【背景技術】
【０００２】
この種の従来技術として、特許文献１に示されるものがある。この従来技術は、ケースと、このケースに収納され、押圧操作される操作部を有する回動可能な操作レバーを備えている。また、可動接点を形成し、操作レバーに形成されたばね収納部に装着される巻回部と、この巻回部の一端から引き出される第１腕部と、巻回部の他端から引き出され操作レバーの回動に伴って撓み変形する第２腕部とを有するねじりコイルばねを備えている。
【０００３】
また、ねじりコイルばねの第１腕部が常時接触する固定接点と、ねじりコイルばねの第２腕部が接離可能な切換接点を備えている。この切換接点は、ねじりコイルばねの第２腕部を挟圧保持可能な下方接点部と上方接点部とを有し、操作レバーの回動に伴う第２腕部の撓み変形により、第２腕部が下方接点部と上方接点部の間に挿入されるようになっている。なお、下方接点部と上方接点部のそれぞれは、片持ち支持される形状に形成されている。
【０００４】
このように構成される従来技術は、操作レバーの操作部に押圧力が加えられない初期状態では、可動接点を形成するねじりコイルばねの第１腕部が固定接点に常時接触するものの、ねじりコイルばねの第２腕部が切換接点から離れた状態に保たれるので、固定接点と切換接点との間が遮断され、ＯＦＦとなる。この状態から操作レバーの操作部に押圧力を加えると、ねじりコイルばねが撓み変形し、第２腕部が切換接点の下方接点部と上方接点部の間に挿入され、この第２腕部が下方接点部と上方接点部とによって挟持された状態となる。すなわち、切換接点と固定接点とがねじりコイルばねを介して導通し、ＯＮとなる。
【特許文献１】特開２００３−３３１６９０公報
【発明の開示】
【発明が解決しようとする課題】
【０００５】
上述した従来技術は、可動接点を形成するねじりコイルばねの第２腕部が挟圧保持される切換接点の下方接点部、上方接点部の双方が片持ち支持形状に形成されており、切換接点の製作時には、弾性を有する片持ち支持の下方接点部が形成された後に、この下方接点部を上方接点部との境界高さ位置の基準として、弾性を有する片持ち支持の上方接点部を下方接点部に当接させるようにして形成されることから、上方接点部を形成する際に下方接点部が動きやすく、これに伴って下方接点部と上方接点部との境界高さ位置にバラツキを生じやすい。このために、ねじりコイルばねの第２腕部と切換接点との接触タイミングが、すなわちＯＮとなるタイミングが装置によっては、ずれることがあり、精度の高いＯＮ−ＯＦＦ切換性能の確保が難しかった。
【０００６】
また、切換接点を小さな形状に設定しようとすると、下方接点部、上方接点部の弾性が変化することから、上述した下方接点部と上方接点部との境界高さ位置のバラツキがさらに大きくなる。このことから、切換接点の形状を比較的大きく設定しなければならない。これにより、従来技術では装置全体の小型化の実現が難しくなっている。
【０００７】
本発明は、上述した従来技術における実状からなされたもので、その目的は、切換接点の下方接点部と上方接点部との境界高さ位置のバラツキを抑えることができるスイッチ装置を提供することにある。
【課題を解決するための手段】
【０００８】
上記目的を達成するために、本発明は、ケースと、このケースに収納され回動可能な操作レバーと、可動接点を形成し、巻回部と、この巻回部の一端から引き出される第１腕部と、上記巻回部の他端から引き出され、上記操作レバーの回動に伴って撓み変形する第２腕部とを有するねじりコイルばねと、このねじりコイルばねの上記第１腕部に常時接触する固定接点と、上記ねじりコイルばねの上記第２腕部を挟圧保持可能な下方接点部と上方接点部とを有し、上記操作レバーの回動に伴う上記第２腕部の撓み変形により、上記第２腕部が接離する切換接点とを備え、この切換接点の上記下方接点部が両持ち支持形状の突起部から成り、上記上方接点部が片持ち支持形状から成ることを特徴としている。
【０００９】
このように構成した本発明は、切換接点の下方接点部が、両持ち支持形状の突起部から成ることから、この突起部を剛体に形成することができる。これにより切換接点の製作時に、突起部を形成した後に、この剛体から成る突起部を上方接点部との境界高さ位置の基準として、弾性を有する片持ち支持の上方接点部を突起部に当接させるようにして形成すればよく、この際に突起部が剛体から成るので動かず、これに伴って下方接点部を形成する突起部と上方接点部との境界高さ位置のバラツキを抑えることができる。したがって、可動接点を形成するねじりコイルばねの第２腕部と切換接点との接触タイミングのずれを小さくすることができる。
【００１０】
また、下方接点部が両持ち支持形状の剛体を形成する突起部から成ることから、この突起部及び上方接点部の形状寸法を小さく設定しても、下方接点部を形成する突起部と上方接点部との境界高さ位置のバラツキを抑えることができる。
【００１１】
また、本発明は、上記発明において、上記突起部が、切り曲げ加工により形成して成ることを特徴としている。このように構成した本発明は、容易に突起部を形成できる。
【００１２】
また、本発明は、上記発明において、上記突起部が、突き出し加工により形成して成ることを特徴としている。このように構成した本発明も、容易に突起部を形成できる。
【００１３】
また、本発明は、上記発明において、上記固定接点が、突き出し加工により形成して成ることを特徴としている。このように構成した本発明は、容易に固定接点を形成できる。
【００１４】
また、本発明は、上記発明において、上記固定接点が、切り曲げ加工により形成して成ることを特徴としている。このように構成した本発明も、容易に固定接点を形成できる。
【００１５】
また、本発明は、上記発明において、上記切換接点の上記上方接点部の端部に、上記コイルばねの上記第２腕部の挿入を案内するガイド部を設けたことを特徴としている。このように構成した本発明は、上方接点部のガイド部を介してねじりコイルばねの第２腕部を円滑に突起部と上方接点部との間に挿入させることができる。
【００１６】
また、本発明は、上記発明において、上記固定接点が導通する外部端子と、上記切換接点が導通する外部端子とを備えるとともに、上記固定接点、及び上記切換接点のそれぞれが銅チタンから成ることを特徴としている。このように構成した本発明は、外部端子のそれぞれにリフロー半田を施した場合でも、固定接点、切換接点が銅チタンから成るので、これらの固定接点、切換接点のリフロー半田時の熱によるへたりを防ぐことができる。したがって、リフロー半田によって能率よく外部端子を所定の基板に取り付けることができる。
【発明の効果】
【００１７】
本発明は、切換接点の下方接点部が、両持ち支持形状の突起部から成り、この突起部を剛体に形成することができることから、切換接点の製作時に、この剛体から成る突起部を上方接点部との境界高さ位置の基準として、上方接点部を形成すればよく、この際に突起部を動かないように保つことができ、したがって、下方接点部を形成する突起部と上方接点部との境界位置のバラツキを抑えることができる。これに伴って、可動接点を形成するねじりコイルばねの第２腕部と切換接点との接触位置のずれを小さくすることができ、従来に比べて精度の高いＯＮ／ＯＦＦ切換性能を確保することができる。
【００１８】
また、切換接点の下方接点部が両持ち支持形状の剛体を形成する突起部から成ることから、突起部及び上方接点部の形状寸法を小さく設定しても、上方接点部との境界高さ位置のバラツキを抑えることができる。したがって、切換接点の形状を従来よりも小さくすることができ、従来困難であった装置全体の小型化を実現させることができる。
【発明を実施するための最良の形態】
【００１９】
以下，本発明に係るスイッチ装置を実施するための最良の形態を図に基づいて説明する。
【００２０】
［本実施形態の構成］
図１は本発明に係るスイッチ装置の一実施形態の外観図、図２は本実施形態の分解斜視図、図３は本実施形態において、カバーを除いた状態を示す斜視図である。図４は本実施形態に備えられるケースの平面図、図５は本実施形態に備えられる操作レバーの裏面図、図６は本実施形態に備えられる固定接点、及び切換接点を示す斜視図である。
【００２１】
図１〜３に示すように、本実施形態に係るスイッチ装置は、樹脂材料等の絶縁材から成るケース１と、このケース１にインサート成形されて、ケース１に保持される固定接点５ａ、及び切換接点６ａとを備えている。ケース１内には可動接点を形成するねじりコイルばね３を配置してある。さらに、押圧操作される操作部２ａを有し、ねじりコイルばね３を撓み変形させるように回動可能な操作レバー２を備えている。また、ケース１の上面を覆う金属板から成るカバー４を備えている。
【００２２】
ケース１の側壁には、係止部１ａ，１ｂを形成してあり、カバー４にはケース１の係止部１ａに係合する係止爪４ａと、ケース１の係止部１ｂに係合する側板４ｂとを形成してある。これらの係止部１ａ，１ｂ、及び係止爪４ａ、側板４ｂを介して、カバー４がケース１に固定される。
【００２３】
図４にも示すように、ケース１の隅角部、すなわち固定接点５ａが配置されるケース１の側壁１ｄに連なる隅角部には、側壁１ｄからケース１の内側に向かって張り出し形成される張り出し部１ｅを設けてある。この張り出し部１ｅの端面は、第１ストッパ面１ｅ１を形成している。この張り出し部１ｅの内方には軸１ｃを設けてあり、この軸１ｃと張り出し部１ｅとの間の領域に、後述するねじりコイルばね３の巻回部３ａが収納されるばね収納部１ｅ２を形成してある。
【００２４】
ケース１の張り出し部１ｅの延長線上に、操作レバー２の操作部２ａのケース１内への押し込みを許容させる開口部１ｈを形成してある。例えば、操作レバー２の操作部２ａのほぼ全体が開口部１ｈからケース１内へ収納可能なように、この操作レバー２の形状寸法、及びケース１の開口部１ｈの寸法を設定してある。
【００２５】
また、ケース１の張り出し部１ｅが設けられる側壁１ｄと対向する側のケース１の側壁１ｄ１に、第２ストッパ面１ｆを形成してある。さらに、ケース１の内部にも第３ストッパ面１ｇを形成してある。
【００２６】
上述した操作レバー２は、図２，３に示すように、上述の操作部２ａの他に、ケース１の軸１ｃに挿入される筒状の軸支部２ｂを備えている。また、ケース１の上述の張り出し部１ｅと対向可能な張り出し部２ｅを備えており、この張り出し部２ｅの端面は、ケース１の張り出し部１ｅの端面を形成する第１ストッパ面１ｅ１に係止される第１ストッパ部２ｅ１となっている。
【００２７】
この操作レバー２の張り出し部２ｅと軸支部２ｂとの間の領域には、後述するねじりコイルばね３の巻回部３ａが収納されるばね収納部２ｃが形成されている。すなわち、ケース１の張り出し部１ｅの内方と、操作レバー２の張り出し部２ｅの内方とに、それぞればね収納部１ｅ２，２ｃを形成してある。これらのばね収納部１ｅ２，２ｃは互いに連通して、後述のねじりコイルばね３の巻回部３ａを収納させるばね収納部となっている。
【００２８】
さらに、操作レバー２には、ばね収納部２ｃに連設させて、後述のねじりコイルばね３の第２腕部３ｃが係止保持される係止部２ｄを設けてある。
【００２９】
また、同図２，３に示すように、ケース１の側壁１ｄ１側に位置する操作レバー２の操作部２ａの端面は、上述したケース１の第２ストッパ面１ｆに係止される第２ストッパ部２ａ１となっている。さらに、操作レバー２の裏面図である図５に示すように、この操作レバー２の裏面には、上述したケース１の第３ストッパ面１ｇに係止される第３ストッパ部２ａ２を形成してある。
【００３０】
図３に示すように、ケース１の張り出し部１ｅの第１ストッパ面１ｅ１に操作レバー２の張り出し部２ｅの第１ストッパ面２ｅ１が係止された際に、ケース１の張り出し部１ｅの外側面と操作レバー２の張り出し部２ｅの外側面が面一となるように、ケース１の張り出し部１ｅの形状と操作レバー２の張り出し部２ｅの形状をそれぞれ設定してある。
【００３１】
また、上述した可動接点を形成するねじりコイルばね３は、図２，３に示すように、操作レバー２の軸支部２ｂに装着され、ケース１の張り出し部１ｅの内方に形成されるばね収納部１ｅ２、及び操作レバー２の張り出し部２ｅの内方に形成されるばね収納部２ｃに収納される巻回部３ａと、この巻回部３ａの一端から引き出され、上述の固定接点５ａと常時接触する第１腕部３ｂと、巻回部３ａの他端から引き出され、切換接点６ａと接離する第２腕部３ｃとを備えている。第２腕部３ｃは、上述のように、操作レバー２の係止部２ｄに係止されるようになっている。
【００３２】
本実施形態にあっては、操作レバー２の操作部２ａに押圧力が加えられない図３に示す初期状態では、ねじりコイルばね３の第２腕部３ｃが切換接点６ａに接触するように構成してある。
【００３３】
ケース１にインサート成形される固定接点５ａ、及び切換接点６ａは、図６に示すように、金属例えば銅チタンから成る基部５ａ，６ａを加工して形成されている。
【００３４】
すなわち、固定接点５ａは、基部５から立ち上げ形成された部分に、例えば突き出し加工によって形成されている。基部５には、この本実施形態に係るスイッチ装置が取り付けられる図示しない基板に半田付けされる外部端子５ｂも形成してある。したがって、固定接点５ａと外部端子５ｂとは導通状態に保たれている。
【００３５】
また、切換接点６ａは、基部６を例えば切り曲げ加工し、下方接点部を形成する突起部６ａ１と、基部６から立ち上げられ、さらに折り曲げられた上方接点部６ａ２とから成っている。突起部６ａ１は両持ち支持形状から成り、剛体を形成している。突起部６ａ１上に位置する上方接点部６ａ２は片持ち支持形状から成り、端部にねじりコイルばね３の第２腕部３ｃの挿入を案内する弧状に開いたガイド部６ａ２１を形成してある。なお、基部６にも、このスイッチ装置が取り付けられる図示しない基板に半田付けされる外部端子６ｂを形成してある。したがって、切換接点６ａと外部端子６ｂとは導通状態に保たれている。
【００３６】
上述した切換接点６ａの製作に際しては、基部６に突起部６ａ１を切り曲げ加工した後に、この剛体から成る突起部６ａ１を上方接点部６ａ２との境界高さ位置の基準として、弾性を有する片持ち支持形状の上方接点部６ａ２を、突起部６ａ１に当接させるようにして形成される。
【００３７】
［本実施形態の動作］
図７，８は本実施形態の動作を示す図で、図７は操作レバーの押し込み動作の途中の状態を示す斜視図、図８は操作レバーがフルストークまで押し込まれた状態を示す斜視図である。図９〜１１も本実施形態の動作を示す図で、図９は操作レバーが初期位置に保持されている状態を示す図３に対応する断面図、図１０は操作レバーの押し込み動作の途中の状態を示す図７に対応する斜視図、図１１は操作レバーがフルストロークまで押し込まれた状態を示す図８に対応する斜視図である。
【００３８】
上述した図３，９は、操作レバー２の操作部２ａに押圧力が加えられない初期状態を示しているが、このとき、操作レバー２の張り出し部２ｅの第１ストッパ部２ｅ１が、ケース１の張り出し部１ｅの第１ストッパ面１ｅ１に係止されている。また、ねじりコイルばね３の第１腕部３ｂが固定接点５ａに接触するとともに、第２腕部３ｃが突起部６ａ１と上方接点部６ａ２との間に挿入されて、これらの突起部６ａ１と上方接点部６ａ２とによって挟圧保持されている。すなわち、第２腕部３ｃが切換接点６ａに接触した状態に保たれている。したがって、この初期状態にあっては、ねじりコイルばね３を介して固定接点５ａと切換接点６ａとが導通し、ＯＮとなっている。
【００３９】
このような状態から、操作レバー２の操作部２ａに押圧力が加えられると、操作レバー２が回動し、図７，１０に示すように、操作レバー２の操作部２ａがケース１の開口部１ｈからケース１内に押し込められ、操作レバー２の張り出し部２ｅの第１ストッパ部２ｅ１がケース１の張り出し部１ｅの第１ストッパ面１ｅ１から離れる。これとともに、ねじりコイルばね３の第２腕部３ｃが、操作レバー２の回動に応じて撓められ、切換接点６ａの突出部６ａ１と上方接点部６ａ２の間から離脱しようとする。
【００４０】
操作レバー２をフルストロークまで回動させると、図８，１１に示すように、操作レバー２の操作部２ａに形成された第２ストッパ部２ａ１がケース１の側壁１ｄ１に形成された第２ストッパ面１ｆに当って係止され、同時に、操作レバー２の裏面に形成された第３ストッパ部２ａ２がケース１の内部に形成された第３ストッパ面１ｇに当って係止される。これによって、操作レバー２の回動が停止する。このとき、操作レバー２の操作部２ａは、図８に示すように、そのほぼ全体がケース１内に収納される。また、ねじりコイルばね３の第２腕部３ｃが切換接点６ａから完全に離れ、これにより固定接点５ａと切換接点６ａとの間が遮断され、ＯＦＦとなる。
【００４１】
また、このようにＯＦＦに保たれている状態から、例えば操作レバー２の操作部２ａに加えていた押圧力を弱めると、ねじりコイルばね２の復帰力によって、操作レバー２が上述とは逆方向に、すなわち、その操作部２ａがケース１の開口部１ｈから突出する方向に回動する。これに伴って、ねじりコイルばね３の第２腕部３ｃが、上方接点部６ａ２のガイド部６ａ２１に案内されて、突起部６ａ１と上方接点部６ａ２の間に挿入する。また、操作レバー２の張り出し部２ｅの第１ストッパ部２ｅ１が、ケース１の張り出し部１ｅの第１ストッパ面１ｅ１に当って係止され、初期状態に復帰する。この初期状態にあっては、上述したように、ねじりコイルばね３を介して固定接点５ａと切換接点６ａとが導通し、ＯＮとなる。
【００４２】
［本実施形態の効果］
このように構成した本実施形態は、ケース１の隅角部に設けたケース１の張り出し部１ｅの内方のばね収納部１ｅ２と、操作レバー２の張り出し部２ｅの内方のばね収納部２ｃとによって、ねじりコイルばね３の巻回部３ａが収納されるばね収納部を形成したことから、デッドスペースであったケース１の隅角部をねじりコイルばね３の巻回部３ａの設置のために有効活用できる。また、ねじりコイルばね３の巻回部３ａを収納させるための操作レバー２の部分を小さな形状に設定することができる。これにより、操作レバー２を小さな形状とすることができる。
【００４３】
このように操作レバー２を小さな形状にしても、操作レバー２の回動に伴ってこの操作レバー２の操作部２ａをケース１の開口部１ｈからケース１内に押し込むことができるので、この操作レバー２の所望のストロークを確保することができる。
【００４４】
すなわち、本実施形態によれば、操作レバー２の十分なストロークを確保しながらも、この操作レバー２の形状を小さく設定することができる。これによって、ケース１を小さくすることができ、本実施形態に係るスイッチ装置の全体の小型化を実現させることができる。
【００４５】
また、ねじりコイルばね３の巻回部３ａを操作レバー２の軸支部２ｂに装着させることによって、ねじりコイルばね３の安定した保持を実現させることができ、信頼性の高い装置とすることができる。
【００４６】
また、固定接点５ａをインサート成形によってケース１に保持させたことから、固定接点５ａの安定した保持を実現でき、これによっても信頼性の高い装置とすることができる。
【００４７】
また、操作レバー２の押圧解除操作時には、操作レバー２の張り出し部２ｅの第１ストッパ部２ｅ１が、ケース１の張り出し部１ｅの第１ストッパ面１ｅ１に当って係止されることによって操作レバー２の回動が停止する。これによって、この操作レバー２を初期位置に安定して保持させることができ、これによっても信頼性の高い装置とすることができる。
【００４８】
また、操作レバー２を初期位置に保持させた際に、ケース１の張り出し部１ｅの外側面と操作レバー２の張り出し部２ｅの外側面とが面一となり、これらの張り出し部１ｅと張り出し部２ｅとの間に段差を生じさせることがなく、美観を保つことができる。これによって、優れた意匠性を確保することができる。
【００４９】
また、操作レバー２の操作部２ａが押圧操作された際に、操作レバー２の操作部２ａの第２ストッパ部２ａ１がケース１の側壁１ｄ１の第２ストッパ面１ｆに当接するまで、操作部２ａをケース１内に押し込んで操作レバー２を回動させることができるので、この操作レバー２の大きなストロークを確保できるとともに、押圧操作時の操作レバー２の安定したストロークの確保を実現できる。これによっても、信頼性の高い装置とすることができる。
【００５０】
また、操作レバー２の操作部２ａが押圧操作された際に、操作レバー２の第３ストッパ部２ａ２がケース１の第３ストッパ面１ｇに係止されることによっても操作レバー２の回動を停止させることができる。すなわち、上述した第２ストッパ部２ａ１の第２ストッパ面１ｆにおける係止と、第３ストッパ部２ａ２の第３ストッパ面１ｇにおける係止の双方によって、操作レバー２を停止させることができ、操作レバー２の操作部２ａのケース１内への押し込み時の安定した操作レバー２の停止機能と、操作レバー２の精度の高いストロークの確保とを実現させることができる。これによっても信頼性の高い装置とすることができる。
【００５１】
また、本実施形態は、切換接点６ａの下方接点部が、両持ち支持形状の突起部６ａ１から成ることから、この突起部６ａ１を剛体に形成することができる。これにより切換接点６ａの製作時に、突起部６ａ１を形成した後に、この剛体から成る突起部６ａ１を上方接点部６ａ２との境界高さ位置の基準として、弾性を有する片持ち支持形状の上方接点部６ａ２を突起部６ａ１に当接させるように形成すればよい。この際に、突起部６ａ１が剛体から成るので動かず、これに伴って下方接点部を形成する突起部６ａ１と上方接点部６ａ２との境界高さ位置のバラツキを抑えることができる。したがって、可動接点を形成するねじりコイルばね３の第２腕部３ｃと切換接点６ａとの接触タイミングのずれを小さくすることができ、精度の高いＯＮ／ＯＦＦ切換性能を確保することができる。
【００５２】
また、切換接点６ａの下方接点部が両持ち支持形状の剛体を形成する突起部６ａ１から成ることから、突起部６ａ１及び上方接点部６ａ２の形状寸法を小さく設定しても突起部６ａ１と上方接点部６ａ２との境界高さ位置のバラツキを抑えることができる。したがって、切換接点６ａの形状を小さくすることができ、このことも装置全体の小型化の実現に貢献する。
【００５３】
また、突起部６ａ１は、基部６に切り曲げ加工を施すことによって容易に形成でき、これによって製作費を安くすることができる。
【００５４】
また、固定接点５ａは、基部５に突き出し加工を施すことによって容易に形成でき、これによっても製作費を安くすることができる。
【００５５】
また、上方接点部６ａ２のガイド部６ａ２１を介してねじりコイルばね３の第２腕部３ｃを円滑に突起部６ａ１と上方接点部６ａ２との間に挿入させることができ、安定した切換接点６ａに対するねじりコイルばね３の第２腕部３ｃの接離動作を実現させることができる。
【００５６】
また、外部端子５ｂ，６ｂのそれぞれにリフロー半田を施した場合でも、固定接点５ａ、切換接点６ａが銅チタンから成るので、これらの固定接点５ａ、切換接点６ａのリフロー半田時の熱によるへたりを防ぐことができる。したがって、リフロー半田によって効率良く外部端子５ｂ，６ｂを図示しない所定の基板に取り付けることができ、本実施形態を基板に取り付ける際の作業の能率を向上させることができる。
【００５７】
［他の実施形態］
図１２は本発明の他の実施形態の要部を形成する固定接点、及び切換接点を示す斜視図である。
【００５８】
この図１２に示す他の実施形態は、基部５から立ち上げ形成された部分に、切り曲げ加工によって固定接点５ｃを形成してある。他の構成については、例えば上述した図１〜１１に示した実施形態と同等である。このように構成したものも、固定接点５ｃは、基部５に切り曲げ加工を施すことによって容易に形成できる。これによって製作費を安くすることができる。
【００５９】
なお、上述した各実施形態では、切換接点６ａに含まれる下部接点部である突起部６ａ１を、切り曲げ加工によって形成してあるが、本発明は、このように切り曲げ加工によって突起部６ａ１を形成することには限られない。基部６に突き出し加工を施して形成するようにしてもよい。このように構成したものも、突出部６ａ１を容易に形成でき、これによっても製作費を安くすることができる。
【図面の簡単な説明】
【００６０】
【図１】本発明に係るスイッチ装置の一実施形態の外観図である。
【図２】本実施形態の分解斜視図である。
【図３】本実施形態において、カバーを除いた状態を示す斜視図である。
【図４】本実施形態に備えられるケースの平面図である。
【図５】本実施形態に備えられる操作レバーの裏面図である。
【図６】本実施形態に備えられる固定接点、及び切換接点を示す斜視図である。
【図７】本実施形態の動作を示す図で、特に操作レバーの押し込み動作の途中の状態を示す斜視図である。
【図８】本実施形態の動作を示す図で、特に操作レバーがフルストークまで押し込まれた状態を示す斜視図である。
【図９】本実施形態の動作を示す図で、特に操作レバーが初期位置に保持されている状態を示す図３に対応する断面図である。
【図１０】本実施形態の動作を示す図で、特に操作レバーの押し込み動作の途中の状態を示す図７に対応する斜視図である。
【図１１】本実施形態の動作を示す図で、特に操作レバーがフルストロークまで押し込まれた状態を示す図８に対応する斜視図である。
【図１２】本発明の他の実施形態の要部を形成する固定接点、及び切換接点を示す斜視図である。
【符号の説明】
【００６１】
１    ケース
１ｃ  軸
１ｄ  側壁
１ｄ１  側壁
１ｅ  張り出し部
１ｅ１  第１ストッパ面
１ｅ２  ばね収納部
１ｆ  第２ストッパ面
１ｇ  第３ストッパ面
１ｈ  開口部
２    操作レバー
２ａ  操作部
２ａ１  第２ストッパ部
２ａ２  第３ストッパ部
２ｂ    軸支部
２ｃ    ばね収納部
２ｄ    係止部
２ｅ    張り出し部
２ｅ１  第１ストッパ部
３    ねじりコイルばね（可動接点）
３ａ  巻回部
３ｂ  第１腕部
３ｃ  第２腕部
５ａ  固定接点
５ｂ  外部端子
５ｃ  固定接点
６ａ  切換接点
６ａ１  突起部（下方接点部）
６ａ２  上方接点部
６ａ２１  ガイド部
６ｂ  外部端子
【図１】
2007305483.tif 000003
【図２】
2007305483.tif 000004
【図３】
2007305483.tif 000005
【図４】
2007305483.tif 000006
【図５】
2007305483.tif 000007
【図６】
2007305483.tif 000008
【図７】
2007305483.tif 000009
【図８】
2007305483.tif 000010
【図９】
2007305483.tif 000011
【図１０】
2007305483.tif 000012
【図１１】
2007305483.tif 000013
【図１２】
2007305483.tif 000014